(57)【要約】  【課題】汚水貯留槽の貯留水の水位が変動しても自動的に対応して、表層に浮上している軽い油分などを選択的に汲み出すことができる。    【解決手段】貯留水１１の浮上油分１３を選択的に汲み上げる浮遊汲み出しポンプ装置２であって、漏斗状吸込み口部材３、ダイヤフラムポンプ４、フロート５、浮力調整手段６の各部品からなる。前記漏斗状吸込み口部材３は、吸込み口３１を上方に拡径した漏斗状に形成された部材で、吸引された油分を外部に汲み出すために、吸引配管ａ、ダイヤフラムポンプ４、汲み出し配管ｂが配備されている。フロート５は、前記吸込み口３１を所定の水位に浮遊状態に位置させるための浮力を有し、前記躯体２１に複数個取り付けられる。浮力調整手段６には、浮力を生じる空気溜り部６１ａ、空気を供給する圧搾空気供給管６１ｂと空気を排出する空気排出管６１ｃとを備える中空構造体６１が採用される。  【選択図】  図１
2005138069.tif 000002
【特許請求の範囲】
【請求項１】
汚水槽に浮遊しながら表層の油分を選択的に汲み上げる浮遊汲み出しポンプ装置であって、吸込み口を上方に向けて形成した漏斗状吸込み口部材と、この漏斗状吸込み口部材から吸引した油分を外部に汲み出すためのポンプとを備えるとともに、前記吸込み口部材を所定の水位に浮遊状態に位置させるためのフロートと、前記水位を微調整可能な浮力調整手段とを具備したことを特徴とする浮遊汲み出しポンプ装置。
【請求項２】
前記浮力調整手段が、浮力を発生させる空気溜り部とこれに空気を供給する圧搾空気供給管と空気溜り部の空気を排出するための空気排出管とを備えるとともに、前記ポンプが圧搾空気によって駆動されるダイヤフラムポンプである請求項１に記載の浮遊汲み出しポンプ装置。
【請求項３】
請求項２に記載の浮遊汲み出しポンプ装置と、この汲み出しポンプ装置から汲み出された油水混合液を貯留し、分離、浮上した油分を取り出すとともに、下部に貯留する分離水を前記汚水槽に返送するようにした油水分離・貯留槽と、前記ダイヤフラムポンプと浮力調整手段に送給する圧搾空気を準備するエアコンプレッサと、前記浮力調整手段の空気溜り部の空気量を調整する制御部とを配備したことを特徴とする汲み出しシステム。
【発明の詳細な説明】
【技術分野】
【０００１】
本発明は、機械油など廃油で汚濁した汚水から浮遊油を選択的に汲み出すための浮遊汲み出しポンプ装置および汲み出しシステムに関する。
【背景技術】
【０００２】
従来、機械加工工場などから排出される機械油など廃油で汚濁した汚水は汚水浄化処理あるいは有効成分の回収処理などのため、貯留槽に貯留するのが通例である。そして、この貯留槽において、表層に浮上する比重の軽い油分などを選択的に汲み出すことにより、あらかじめ油水を大雑把に分離するのが、後工程の負荷を軽くできるので好ましい工程である。
【０００３】
この目的のための汲み出しポンプとして、いわゆる水中ポンプが転用されており、専用に設計された汲み出しポンプを本発明人はいまだ知見していない。この水中ポンプは、ケーシング内に電気モータとそれに直結した羽根車を収容し、羽根車の回転により下部から吸引した液を上方に汲み出すようにしたものである。（特許文献１参照）
【０００４】
ところが、この水中ポンプを汚水貯留槽に吊り下げて、表層に浮上している軽い油分などを選択的に汲み出そうとすると、水中ポンプの吸込み位置が変動するため、沈みすぎて下層の水分を多く汲み出したり、また表面から離れてしまって空気を吸い込んで揚程不良など汲み出し不調を引き起こすなど、安定した汲み出し作業が困難であった。
【特許文献１】実開平５−１４５９０号公報：構成、図
【発明の開示】
【発明が解決しようとする課題】
【０００５】
本発明は、上記の問題点を解決するためになされたものであり、汚水貯留槽の貯留水の水位が変動しても自動的に対応して、表層に浮上している軽い油分などを選択的に汲み出すことのできる浮遊汲み出しポンプ装置および汲み出しシステムを提供する。
【課題を解決するための手段】
【０００６】
上記の問題は、汚水槽に浮遊しながら表層の油分を選択的に汲み上げる浮遊汲み出しポンプ装置であって、吸込み口を上方に向けて形成した漏斗状吸込み口部材と、この漏斗状吸込み口部材から吸引した油分を外部に汲み出すためのポンプとを備えるとともに、前記吸込み口を所定の水位に浮遊状態に位置させるためのフロートと、前記水位を微調整可能な浮力調整手段とを具備したことを特徴とする本発明の第１発明であるところの浮遊汲み出しポンプ装置によって、解決することができる。
【０００７】
そして、この第１発明は、前記浮力調整手段が、浮力を発生させる空気溜り部とこれに空気を供給する圧搾空気供給管と空気溜り部の空気を排出するための空気排出管とを備えるとともに、前記ポンプが圧搾空気によって駆動されるダイヤフラムポンプである形態に具体化できる。
【０００８】
また、上記の問題は、前記第１発明の浮遊汲み出しポンプ装置と、この汲み出しポンプから汲み出された油水混合液を貯留し、分離、浮上した油分を取り出すとともに、下部に貯留する分離水を前記汚水槽に返送するようにした油水分離・貯留槽と、前記ダイヤフラムポンプと浮力調整手段に送給する圧搾空気を準備するエアコンプレッサと、前記浮力調整手段の空気溜り部の空気量を調整する制御部とを配備したことを特徴とする本発明の第２発明である汲み出しシステムによって、解決することができる。
【発明の効果】
【０００９】
本発明の第１発明によれば、フロートと、微調整可能な浮力調整手段とによって、汚水貯留槽の貯留水の水位が変動しても自動的に対応して、汲み上げポンプの吸込み口を表層に接近させた状態に位置するよう浮遊しながら、表層の油分を選択的に汲み出すことができる。また、ポンプとして圧搾空気駆動型のダイヤフラムポンプを用いるので揚程不良や電気的トラブルは発生しないという利点がある。
【００１０】
また第２発明によれば、第１発明の浮遊汲み出しポンプ装置に油水分離・貯留槽が付加されるので、油水分離がより効果的に行える他、ポンプと浮力調節を圧搾空気によって一元的に行えるという利点が得られる。よって本発明は、従来の問題点を解消した浮遊汲み出しポンプ装置および汲み出しシステムとして、実用的価値はきわめて大なるものがある。
【発明を実施するための最良の形態】
【００１１】
次に、本発明の第１発明の浮遊汲み出しポンプ装置に係る実施形態について、図１、２を参照しながら説明する。
本発明は、汚水槽１（図２参照）の貯留水１１に浮遊しながら表層１２の浮上油分１３を選択的に汲み上げる浮遊汲み出しポンプ装置２であって、その特徴的な構造は、漏斗状吸込み口部材３、ダイヤフラムポンプ４、フロート５、浮力調整手段６の各部品からなるものである。
【００１２】
前記漏斗状吸込み口部材３は、円形、角形などの吸込み口３１を上方に向けて拡径して形成したプラスチックまたは金属製を漏斗状に形成した部材である。そして、この漏斗状吸込み口部材３から吸引された油分は、吸込み口部材３に通じる吸引配管ａから汲み出し配管ｂを経て外部に汲み出せるよう、吸引配管ａと汲み出し配管ｂとの間にダイヤフラムポンプ４が金属枠材などから形成される躯体２１に配備されている。なお、このダイヤフラムポンプ４は、圧搾空気供給管４ｂと空気排出管４ｃによって供給、排気される圧搾空気で駆動されるタイプのポンプであって、後記の浮力調整手段６と共用できるので好ましい。
【００１３】
そして、前記フロート５は、前記吸込み口３１を所定の水位に浮遊状態に位置させるため十分な浮力を有する中空体または低比重の材料から構成され、装置全体を水平状態で浮遊可能とするよう前記躯体２１の上部に複数個取り付けられている。その浮力の程度は、前記吸込み口３１から表層１２の浮上油分１３を円滑に吸引できるよう、吸込み口３１の上端縁と貯留水表面との間隔（深さ）が好ましい値になるよう調整しておけばよい。
【００１４】
また、本発明では、この水位を微調整可能な浮力調整手段６として、例えば、図示の中空構造体６１を採用するのがよい。この中空構造体６１は、浮力を発生させる空気溜り部６１ａとこれに空気を供給する圧搾空気供給管６１ｂと空気溜り部の空気を排出するための空気排出管６１ｃとを備えるものとし、空気溜り部６１ａの空気量を遠隔操作することにより、装置全体を上下移動させて調節する。かくして、前記前記吸込み口３１の深さを最適位置に調整できるのである。
【００１５】
このように第１発明の汲み出しポンプは、フロート５と浮力の微調整可能な中空構造体６１とによって、汚水貯留槽の貯留水１１の水位が変動しても自動的に対応して所定水位に浮遊しているので、汲み出しポンプの吸込み口を表層から好ましい間隔に接近させた状態で浮遊させながら、表層の浮上油分１３を選択的に汲み出すことができるのである。また、ポンプとして圧搾空気駆動型のダイヤフラムポンプ４を用いるので従来の水中ポンプのような揚程不良や電気的トラブルは発生しない。
【００１６】
次に、本発明の第２発明に係る実施形態について、図２を参照しながら説明する。
本発明の汲み出しシステムは、汚水貯留槽１の貯留水１１に浮遊させた前記第１発明の浮遊汲み出しポンプ装置２と、この汚水貯留槽１の外部には、その汲み出しポンプ装置２から汲み出された油水混合液を一旦貯留し、分離、浮上した油分を取り出すとともに、下部に貯留する分離水を前記汚水貯留槽１に返送するようにした油水分離・貯留槽７１と、前記ダイヤフラムポンプ４と浮力調整手段６に送給する圧搾空気を準備するエアコンプレッサ７２と、前記浮力調整手段６の空気溜り部の空気量を調整する制御部７３とを配備したものである。
【００１７】
この第２発明によれば、第１発明の浮遊汲み出しポンプ装置に基づく利点を享受するうえ、さらに、付加された油水分離・貯留槽７１によって、油水分離がより効果的に行えるので後処理が容易になる利点の他、圧搾空気によるポンプ運転と浮力調節を、汚水貯留槽１の外側に置かれた制御部７３によって遠隔操作して一元的に行えるという利点が得られるのである。
【００１８】
なお、図示の制御部７３と浮遊汲み出しポンプ装置２とをつなぐライン７３ａは、汲み出しポンプ装置２を係留するためのものであって、鎖あるいは縄ロープが応用でき、このライン７３ａに沿って、前記ダイヤフラムポンプ４に接続されている圧搾空気供給管４ｂと空気排出管４ｃおよび汲み出し配管ｂ、ならびに浮力調整手段６に接続される圧搾空気供給管６１ｂと空気排出管６１ｃとを一括してまとめて配置すれば、メンテナンスが容易になるなど利点が得られる。
【図面の簡単な説明】
【００１９】
【図１】第１発明の実施形態を説明するための要部側面構成図。
【図２】第２発明の実施形態を説明するための要部断面的構成図。
【符号の説明】
【００２０】
１：汚水貯留槽、１１：貯留水、１２：表層、１３：浮上油分
２：浮遊汲み出しポンプ装置、２１：躯体
３：吸込み口部材、３１：吸込み口
４：ダイヤフラムポンプ、４ｂ：圧搾空気供給管、４ｃ：空気排出管
５：フロート
６：浮力調整手段、６１：中空構造体、６１ａ：空気溜り部、６１ｂ：圧搾空気供給管、６１ｃ：空気排出管
ａ：吸引配管、ｂ：汲み出し配管
【図１】
2005138069.tif 000003
【図２】
2005138069.tif 000004